(57)【特許請求の範囲】
【請求項１】
移動局との間で無線通信を行う第１および第２の無線送受信機部と、
無線基地局部と、
前記第１の無線送受信機部と前記無線基地局部を接続する第１の電気配線と、
前記第２の無線送受信機部と前記無線基地局部を接続する第２の電気配線と、を備え、
前記無線基地局部は、前記第１の電気配線を介して前記第１の無線送受信機部に送信する信号、および、前記第２の電気配線を介して前記第２の無線送受信機部に送信する信号に対するプリエンファシス処理を行う第１のプリエンファシス部と、
遅延時間ごとに好適なプリエンファシス値を格納したテーブルを保持するパラメータ設定部と、
前記第１の電気配線を介して前記第１の無線送受信機部との間で所定のデータを往復させたときの遅延時間を第１の遅延時間として測定するとともに、前記第２の電気配線を介して前記第２の無線送受信機部との間で所定のデータを往復させたときの遅延時間を第２の遅延時間として測定する遅延時間測定部と、を有し、
前記第１の無線送受信機部は、前記第１の電気配線を介して前記無線基地局部に送信する信号に対するプリエンファシス処理を行う第２のプリエンファシス部を有し、
前記第２の無線送受信機部は、前記第２の電気配線を介して前記無線基地局部に送信する信号に対するプリエンファシス処理を行う第３のプリエンファシス部を有し、
前記無線基地局部は、前記遅延時間測定部によって測定された前記第１の遅延時間および前記第２の遅延時間のうちの長い方の遅延時間に応じたプリエンファシス値を前記テーブルから抽出して、前記第１ないし第３のプリエンファシス部に設定するコントロール部をさらに有している、無線基地局装置。
【請求項２】
前記無線基地局部は、前記第１の電気配線を介して前記第１の無線送受信機部から受信した信号に対するイコライザ処理を行う第１のイコライザ部をさらに有し、
前記第１の無線送受信機部は、前記第１の電気配線を介して前記無線基地局部から受信した信号に対するイコライザ処理を行う第２のイコライザ部をさらに有し、
前記テーブルは、遅延時間ごとにイコライザ処理に好適なパラメータの値をさらに格納し、
前記コントロール部は、前記遅延時間測定部によって測定された遅延時間に応じて、イコライザ処理に好適なパラメータの値を前記テーブルから抽出して、前記第１のイコライザ部及び前記第２のイコライザ部に設定する、請求項１に記載の無線基地局装置。
【請求項３】
前記テーブルは、遅延時間の範囲ごとに好適なプリエンファシス値又はイコライザ処理に好適なパラメータの値を格納している、請求項１又は２に記載の無線基地局装置。
【請求項４】
前記第１および第２の電気配線は、電気ケーブル又はバックボード配線である、請求項１乃至３のいずれか１項に記載の無線基地局装置。
【請求項５】
移動局との間で無線通信を行う第１のおよび第２の無線送受信機部と、無線基地局部と、前記第１の無線送受信機部と前記無線基地局部を接続する第１の電気配線と、前記第２の無線送受信機部と前記無線基地局部を接続する第２の電気配線とを備えている無線基地局装置の制御方法であって、
前記第１の電気配線を介して前記無線基地局部と前記第１の無線送受信機部との間で所定のデータを往復させたときの遅延時間を第１の遅延時間として測定する工程と、
前記第２の電気配線を介して前記無線基地局部と前記第２の無線送受信機部との間で所定のデータを往復させたときの遅延時間を第２の遅延時間として測定する工程と、
測定された前記第１の遅延時間および前記第２の遅延時間のうちの長い方の遅延時間に応じたプリエンファシス値を、遅延時間ごとに好適なプリエンファシス値を格納したテーブルから抽出する工程と、
前記第１の電気配線を介して前記無線基地局部から前記第１の無線送受信機部に送信する信号、および、前記第２の電気配線を介して前記無線基地局部から前記第２の無線送受信機部に送信する信号に対するプリエンファシス処理を行う第１のプリエンファシス部と、前記第１の電気配線を介して前記第１の無線送受信機部から前記無線基地局部に送信する信号に対するプリエンファシス処理を行う第２のプリエンファシス部と、前記第２の電気配線を介して前記第２の無線送受信機部から前記無線基地局部に送信する信号に対するプリエンファシス処理を行う第３のプリエンファシス部に対して、抽出したプリエンファシス値を設定する工程と、を含む制御方法。
【請求項６】
前記テーブルは、遅延時間ごとにイコライザ処理に好適なパラメータの値をさらに格納し、
測定された遅延時間に応じて、イコライザ処理に好適なパラメータの値を前記テーブルから抽出して、前記無線基地局部が前記第１の電気配線を介して前記第１の無線送受信機部から受信した信号に対するイコライザ処理を行うイコライザ部と、前記第１の無線送受信機部が前記第１の電気配線を介して前記無線基地局部から受信した信号に対するイコライザ処理を行うイコライザ部とに設定する工程をさらに含む、請求項５に記載の制御方法。
【請求項７】
移動局との間で無線通信を行う第１および第２の無線送受信機部と、無線基地局部と、前記第１の無線送受信機部と前記無線基地局部を接続する第１の電気配線と、前記第２の無線送受信機部と前記無線基地局部を接続する第２の電気配線とを備えている無線基地局装置を制御するプログラムであって、
前記第１の電気配線を介して前記無線基地局部と前記第１の無線送受信機部との間で所定のデータを往復させたときの遅延時間を第１の遅延時間として測定する処理と、
前記第２の電気配線を介して前記無線基地局部と前記第２の無線送受信機部との間で所定のデータを往復させたときの遅延時間を第２の遅延時間として測定する処理と、
測定された前記第１の遅延時間および前記第２の遅延時間のうちの長い方の遅延時間に応じたプリエンファシス値を、遅延時間ごとに好適なプリエンファシス値を格納したテーブルから抽出する工程と、
前記第１の電気配線を介して前記無線基地局部から前記第１の無線送受信機部に送信する信号、および、前記第２の電気配線を介して前記無線基地局部から前記第２の無線送受信機部に送信する信号に対するプリエンファシス処理を行う第１のプリエンファシス部と、前記第１の電気配線を介して前記第１の無線送受信機部から前記無線基地局部に送信する信号に対するプリエンファシス処理を行う第２のプリエンファシス部と、前記第２の電気配線を介して前記第２の無線送受信機部から前記無線基地局部に送信する信号に対するプリエンファシス処理を行う第３のプリエンファシス部に対して、抽出したプリエンファシス値を設定する処理とを、コンピュータに実行させるプログラム。
【請求項８】
前記テーブルは、遅延時間ごとにイコライザ処理に好適なパラメータの値をさらに格納し、
測定された遅延時間に応じて、イコライザ処理に好適なパラメータの値を前記テーブルから抽出して、前記無線基地局部が前記第１の電気配線を介して前記第１の無線送受信機部から受信した信号に対するイコライザ処理を行うイコライザ部と、前記第１の無線送受信機部が前記第１の電気配線を介して前記無線基地局部から受信した信号に対するイコライザ処理を行うイコライザ部とに設定する処理を、さらにコンピュータに実行させる、請求項７に記載のプログラム。
【発明の詳細な説明】
【技術分野】
【０００１】
本発明は、無線基地局装置、その制御方法及びプログラムに関し、特に、移動局との間で無線通信を行う無線送受信機部と、無線基地局部と、これらの各部を接続する電気配線とを有する無線基地局装置、その制御方法及びプログラムに関する。
【背景技術】
【０００２】
移動局との間で無線通信を行う無線送受信機部と、無線基地局部とが電気配線（例えば、電気ケーブル、バックボード配線（ＢＷＢ配線））によって接続された構成を含む無線基地局装置が知られている。送信パラメータ補正回路（例えば、プリエンファシス（Ｐｒｅ−ｅｍｐｈａｓｉｓ）補正）を有する従来の無線基地局装置においては、電気配線の長さに応じて決定された固定のプリエンファシス値が用いられている。
【０００３】
なお、特許文献１において、光信号を送受信するための無線基地局部用光モジュール部を有する無線基地局部と、光信号を送受信するための無線送受信機部用光モジュール部を有する無線送受信機部とに分離され、無線基地局部と複数の無線送受信機部とが光ファイバを介して接続された無線装置が記載されている。無線基地局部は、所定の固定データを無線送受信機部へ送信し、固定データが送信されてから無線送受信機部にて折り返されて無線基地局部にて受信されるまでの伝搬遅延時間を測定する。
【先行技術文献】
【特許文献】
【０００４】
【特許文献１】特開２００８−０７２５６７号公報
【発明の概要】
【発明が解決しようとする課題】
【０００５】
以下の分析は、本発明者によってなされたものである。上述した従来の無線基地局装置においては、次のような問題がある。
【０００６】
従来の無線基地局装置においては、電気配線の長さに応じて決定された固定のプリエンファシス値が用いられている。したがって、新たな無線送受信機部が想定していたよりも長い電気配線を介して無線基地局部に接続された場合には、両者の間の伝送品質（例えば、ビットエラー率（Ｂｉｔ  Ｅｒｒｏｒ  Ｒａｔｅ、ＢＥＲ））が低下するおそれがある。
【０００７】
そこで、無線基地局装置において、無線送受信機部と無線基地局部を接続する電気配線の長さが予め決められていない場合において、伝送品質の低下を防ぐことが課題となる。本発明の目的は、かかる課題を解決する無線基地局装置、その制御方法及びプログラムを提供することにある。
【課題を解決するための手段】
【０００８】
本発明の第１の視点に係る無線基地局装置は、
移動局との間で無線通信を行う第１および第２の無線送受信機部と、
無線基地局部と、
前記第１の無線送受信機部と前記無線基地局部を接続する第１の電気配線と、
前記第２の無線送受信機部と前記無線基地局部を接続する第２の電気配線と、を備え、
前記無線基地局部は、前記第１の電気配線を介して前記第１の無線送受信機部に送信する信号、および、前記第２の電気配線を介して前記第２の無線送受信機部に送信する信号に対するプリエンファシス処理を行う第１のプリエンファシス部と、
遅延時間ごとに好適なプリエンファシス値を格納したテーブルを保持するパラメータ設定部と、
前記第１の電気配線を介して前記第１の無線送受信機部との間で所定のデータを往復させたときの遅延時間を第１の遅延時間として測定するとともに、前記第２の電気配線を介して前記第２の無線送受信機部との間で所定のデータを往復させたときの遅延時間を第２の遅延時間として測定する遅延時間測定部と、を有し、
前記第１の無線送受信機部は、前記第１の電気配線を介して前記無線基地局部に送信する信号に対するプリエンファシス処理を行う第２のプリエンファシス部を有し、
前記第２の無線送受信機部は、前記第２の電気配線を介して前記無線基地局部に送信する信号に対するプリエンファシス処理を行う第３のプリエンファシス部を有し、
前記無線基地局部は、前記遅延時間測定部によって測定された前記第１の遅延時間および前記第２の遅延時間のうちの長い方の遅延時間に応じたプリエンファシス値を前記テーブルから抽出して、前記第１ないし第３のプリエンファシス部に設定するコントロール部をさらに有している。
【０００９】
本発明の第２の視点に係る無線基地局装置の制御方法は、
移動局との間で無線通信を行う第１のおよび第２の無線送受信機部と、無線基地局部と、前記第１の無線送受信機部と前記無線基地局部を接続する第１の電気配線と、前記第２の無線送受信機部と前記無線基地局部を接続する第２の電気配線とを備えている無線基地局装置の制御方法であって、
前記第１の電気配線を介して前記無線基地局部と前記第１の無線送受信機部との間で所定のデータを往復させたときの遅延時間を第１の遅延時間として測定する工程と、
前記第２の電気配線を介して前記無線基地局部と前記第２の無線送受信機部との間で所定のデータを往復させたときの遅延時間を第２の遅延時間として測定する工程と、
測定された前記第１の遅延時間および前記第２の遅延時間のうちの長い方の遅延時間に応じたプリエンファシス値を、遅延時間ごとに好適なプリエンファシス値を格納したテーブルから抽出する工程と、
前記第１の電気配線を介して前記無線基地局部から前記第１の無線送受信機部に送信する信号、および、前記第２の電気配線を介して前記無線基地局部から前記第２の無線送受信機部に送信する信号に対するプリエンファシス処理を行う第１のプリエンファシス部と、前記第１の電気配線を介して前記第１の無線送受信機部から前記無線基地局部に送信する信号に対するプリエンファシス処理を行う第２のプリエンファシス部と、前記第２の電気配線を介して前記第２の無線送受信機部から前記無線基地局部に送信する信号に対するプリエンファシス処理を行う第３のプリエンファシス部に対して、抽出したプリエンファシス値を設定する工程と、を含む。
【００１０】
本発明の第３の視点に係るプログラムは、
移動局との間で無線通信を行う第１および第２の無線送受信機部と、無線基地局部と、前記第１の無線送受信機部と前記無線基地局部を接続する第１の電気配線と、前記第２の無線送受信機部と前記無線基地局部を接続する第２の電気配線とを備えている無線基地局装置を制御するプログラムであって、
前記第１の電気配線を介して前記無線基地局部と前記第１の無線送受信機部との間で所定のデータを往復させたときの遅延時間を第１の遅延時間として測定する処理と、
前記第２の電気配線を介して前記無線基地局部と前記第２の無線送受信機部との間で所定のデータを往復させたときの遅延時間を第２の遅延時間として測定する処理と、
測定された前記第１の遅延時間および前記第２の遅延時間のうちの長い方の遅延時間に応じたプリエンファシス値を、遅延時間ごとに好適なプリエンファシス値を格納したテーブルから抽出する工程と、
前記第１の電気配線を介して前記無線基地局部から前記第１の無線送受信機部に送信する信号、および、前記第２の電気配線を介して前記無線基地局部から前記第２の無線送受信機部に送信する信号に対するプリエンファシス処理を行う第１のプリエンファシス部と、前記第１の電気配線を介して前記第１の無線送受信機部から前記無線基地局部に送信する信号に対するプリエンファシス処理を行う第２のプリエンファシス部と、前記第２の電気配線を介して前記第２の無線送受信機部から前記無線基地局部に送信する信号に対するプリエンファシス処理を行う第３のプリエンファシス部に対して、抽出したプリエンファシス値を設定する処理とを、コンピュータに実行させる。
【発明の効果】
【００１１】
本発明に係る無線基地局装置、その制御方法及びプログラムによると、無線送受信機部と無線基地局部を接続する電気配線の長さが予め決められていない場合において、伝送品質の低下を防ぐことができる。
【図面の簡単な説明】
【００１２】
【図１】本発明の第１の実施形態に係る無線基地局装置の詳細な構成を示すブロック図である。
【図２】本発明の第１の実施形態に係る無線基地局装置の構成を示すブロック図である。
【図３】遅延時間に応じたプリエンファシス値を格納したテーブルを示す図である。
【図４】本発明の第２の実施形態に係る無線基地局装置の動作を示すシーケンスチャートである。
【図５】遅延時間に応じたプリエンファシス値及びＥＱ（イコライザ）パラメータ値を格納したテーブルを示す図である。
【図６】本発明の第３の実施形態に係る無線基地局装置の構成を示すブロック図である。
【発明を実施するための形態】
【００１３】
第１の展開形態の無線基地局装置は、上記第１の視点に係る無線基地局装置であることが好ましい。
【００１４】
第２の展開形態の無線基地局装置は、
無線基地局部が、電気配線を介して無線送受信機部から受信した信号に対するイコライザ処理を行う第１のイコライザ部をさらに有し、
無線送受信機部が、電気配線を介して無線基地局部から受信した信号に対するイコライザ処理を行う第２のイコライザ部をさらに有し、
上記テーブルは、遅延時間ごとにイコライザ処理に好適なパラメータの値をさらに格納し、
コントロール部は、遅延時間測定部によって測定された遅延時間に応じて、イコライザ処理に好適なパラメータの値を上記テーブルから抽出して、第１のイコライザ部及び第２のイコライザ部に設定することが好ましい。
【００１５】
第３の展開形態の無線基地局装置は、上記テーブルが、遅延時間の範囲ごとに好適なプリエンファシス値又はイコライザ処理に好適なパラメータの値を格納していることが好ましい。
【００１６】
第４の展開形態の無線基地局装置は、電気配線が、電気ケーブル又はバックボード配線であってもよい。
【００１７】
第５の展開形態の制御方法は、上記第２の視点に係る制御方法であることが好ましい。
【００１８】
第６の展開形態の制御方法は、
上記テーブルが、遅延時間ごとにイコライザ処理に好適なパラメータの値をさらに格納し、
測定された遅延時間に応じて、イコライザ処理に好適なパラメータの値を上記テーブルから抽出して、無線基地局部が電気配線を介して無線送受信機部から受信した信号に対するイコライザ処理を行うイコライザ部と、無線送受信機部が電気配線を介して無線基地局部から受信した信号に対するイコライザ処理を行うイコライザ部とに設定する工程をさらに含むことが好ましい。
【００１９】
第７の展開形態のプログラムは、上記第３の視点に係るプログラムであることが好ましい。
【００２０】
第８の展開形態のプログラムは、
上記テーブルが、遅延時間ごとにイコライザ処理に好適なパラメータの値をさらに格納し、
測定された遅延時間に応じて、イコライザ処理に好適なパラメータの値を上記テーブルから抽出して、無線基地局部が電気配線を介して無線送受信機部から受信した信号に対するイコライザ処理を行うイコライザ部と、無線送受信機部が電気配線を介して無線基地局部から受信した信号に対するイコライザ処理を行うイコライザ部とに設定する処理を、さらにコンピュータに実行させることが好ましい。
【００２１】
（実施形態１）
本発明の第１の実施形態に係る無線基地局装置について、図面を参照して説明する。
図２は、本実施形態に係る無線基地局装置の構成を示すブロック図である。図２を参照すると、無線基地局装置は、無線基地局部１０、無線送受信機部４０及び電気配線７４を有している。
【００２２】
無線基地局部１０は、ベースバンド信号処理部３０、ＳｅｒＤｅｓ部２０、プリエンファシス部１１及びイコライザ部１７を有している。
【００２３】
無線送受信機部４０は、イコライザ部４７、ＳｅｒＤｅｓ部５０、信号処理部４９、無線部４８及びプリエンファシス部４１を有している。
【００２４】
無線基地局部１０は、上位装置（非図示）にアクセスしてデータの送受信を行う。無線送受信機部４０は、携帯電話（非図示）とデータの送受信を行う。電気配線７４は、無線基地局部１０と無線送受信機部４０とを接続する。電気配線７４は、電気ケーブルであっても、バックボード（ＢＷＢ）配線であってもよい。
【００２５】
下り回線においては、無線基地局部１０及び無線送受信機部４０は、次のように動作する。
【００２６】
ベースバンド信号処理部３０は、データ多重分離を行う。ＳｅｒＤｅｓ部２０は、パラレルシリアル変換部２１を用いて、ベースバンド信号処理部３０からのパラレルデータをシリアルデータに変換する。プリエンファシス部１１は、シリアルデータを好適化する。
【００２７】
イコライザ部４７は、電気配線７４を介してシリアルデータを受信する。ＳｅｒＤｅｓ部５０のシリアルパラレル変換部５２は、シリアルデータをパラレルデータに変換する。信号処理部４９は、データの多重分離を行う。無線部４８は、Ａ／Ｄ変換及び増幅を行う。
【００２８】
上り回線においては、無線基地局部１０及び無線送受信機部４０は、次のように動作する。
【００２９】
無線部４８は、無線送受信機部４０に設けられたアンテナからの受信データをＤ／Ａ変換する。プリエンファシス部４１は、無線部４８によって出力され、信号処理部４９及びＳｅｒＤｅｓ部５０のパラレルシリアル変換部５１を通過することによってシリアル化されたデータを、好適化する。
【００３０】
イコライザ部１７は、電気配線７４を介してシリアルデータを受信する。ＳｅｒＤｅｓ部２０のシリアルパラレル変換部２２は、シリアルデータをパラレルデータに変換する。ベースバンド信号処理部３０は、パラレルデータを処理する。
【００３１】
ベースバンド信号処理部３０は、さらに、遅延量測定データ送信部３１、遅延時間測定部３２及び遅延量補正バッファ部３３を有している。
【００３２】
遅延量測定データ送信部３１は、電気配線７４の下り及び上りの折り返しにおける遅延量を測定するため固定データを、一定周期で送信する。遅延時間測定部３２は、無線送受信機部４０の信号処理部４９によって折り返された固定データに対する遅延量を測定する。遅延量補正バッファ部３３は、遅延時間測定部３２の測定値に基づいて遅延補正量を計算し、下り及び上りのデータを遅延補正量に応じて遅延させる。
【００３３】
図１は、本実施形態に係る無線基地局装置の詳細な構成を示すブロック図である。図１を参照して、送信パラメータの補正に関与する構成要素について説明する。
【００３４】
図１を参照すると、無線基地局部１０は、さらに、コントロール部１５、パラメータ設定部１２及びパラメータ送信部１６を有している。
【００３５】
コントロール部１５は、遅延時間測定部３２によって測定された遅延量（無線送受信機部４０によって折り返された遅延量測定データの遅延量）に基づいて、既定のパラメータの中から距離（遅延時間）に応じて好適なものを、プリエンファシス部１１及び４１に設定する。
【００３６】
パラメータ設定部１２は、プリエンファシス部１１に設定するための既定のパラメータを複数格納している。コントロール部１５は、無線基地局部１０と無線送受信機部４０と間における往復遅延時間の測定結果に基づいて、パラメータ設定部１２に格納された複数のパラメータのうちのいずれを使用すべきかを判定する。パラメータ送信部１６は、プリエンファシス部１１に設定されたパラメータを無線送受信機部４０に通知する。
【００３７】
ＳｅｒＤｅｓ部２０は、無線送受信機部４０からの信号を、電気配線７４のラインを介して受信する。コントロール部１５は、ＳｅｒＤｅｓ部２０により受信された信号に基づいて、リンク確立ができたか否かを判定する。
【００３８】
図１を参照すると、無線送受信機部４０は、さらに、パラメータ読出部４６、コントロール部４５及びパラメータ設定部４２を有している。
【００３９】
パラメータ読出部４６は、パラメータ送信部１６から受信した値を読み出す。コントロール部４５は、パラメータ読出部４６により読み出された値を受信する。パラメータ設定部４２は、この値をプリエンファシス部４１に設定する。
【００４０】
パラメータ設定部４２は、プリエンファシス部４１に設定するための複数のパラメータを格納している。ＳｅＤｅｓ部５０は、電気配線７４を介して無線基地局部１０からの信号を受信する。コントロール部４５は、ＳｅｒＤｅｓ部５０によって受信された信号に基づいてリンク確立ができたか否かを判定する。
【００４１】
図３は、電気配線７４における遅延時間の測定結果に応じた、プリエンファシス値を格納したテーブルの一例を示す図である。
【００４２】
図３を参照すると、パラメータ設定部１２及び４２は、遅延時間測定部３２によって測定された遅延時間Ｔの値に応じて、プリエンファシス部１１及び４１に設定すべき好適なパラメータＰ０〜Ｐｎを保持している。電気配線４７の長さに応じて、信号波形の劣化の程度が異なることから、電気配線のＩ／Ｆ（ＬＶＤＳ、ＬＶＰＥＣＬ、ＣＭＬなど）を考慮すれば、距離に応じた好適なプリエンファシス値を決定することができる。
【００４３】
本実施形態に係る無線基地局装置の動作について図面を参照して説明する。図４は、本実施形態の無線基地局装置の動作を示すシーケンスチャートである。
【００４４】
図４を参照すると、まず、無線基地局部１０と無線送受信機部４０の電源をオンする（ステップＳ１）。無線基地局部１０のプリエンファシス部１１と無線送受信機部４０のプリエンファシス部４１のそれぞれに対して、プリエンファシス値Ｐの初期値（例えば、０ｄＢ）を設定する（ステップＳ２、Ｓ３）。コントロール部１５はＳｅｒＤｅｓ部２０の受信信号を参照し、コントロール部４５はＳｅｒＤｅｓ部５０の受信信号を参照し、それぞれ、リンク確立ができたか否かに関する監視を開始する（ステップＳ４、Ｓ５）。
【００４５】
無線基地局部１０のパラメータ送信部１６は、プリエンファシス値（の初期値（例えば、０ｄＢ））を無線送受信機部４０に送信する（ステップＳ６）。コントロール部４５は、ＳｅｒＤｅｓ部５０の受信信号を参照して、リンクが確立したか否かを判定する（ステップＳ７）。
【００４６】
無線基地局部１０のコンロール部１５は、リンク監視のためのタイマ（Ｔｉｍｅｒ、非図示）を有しており、リンク確立ができない場合には、タイマのタイムアウト（Ｔｉｍｅ  Ｏｕｔ）を契機として（ステップＳ８）、無線送受信機部４０に、次のプリエンファシス値Ｐ１を送信する（ステップＳ６）。コントロール部１５は、リンクが確立するまで、プリエンファシス値の変更及び送信を繰り返す。
【００４７】
所定の回数（例えばｎ回）について、プリエンファシス値の設定及び送信を繰り返した場合においても、リンクが確立しないときには（ステップＳ９のＮｏ）、無線基地局部１０は、リセットの確認を行うか、又は、動作を停止する（ステップＳ１０）。
【００４８】
無線送受信機部４０も、同様に、所定の回数（例えばｎ回）以内にリンクが確立したか否かの判定を行い（ステップＳ７）、リンクが確立しない場合には（ステップＳ７のＮｏ）、リセットの確認を行うか、又は、動作を停止する（ステップＳ１１）。
【００４９】
無線送受信機部４０において、ｎ回以内にリンクが確立した場合には（ステップＳ７のＹｅｓ）、コントロール部４５は、パラメータ読出部４６から現在のプリエンファシス値Ｐを読み出して、パラメータ設定部４２を経由して、読み出したプリエンファシス値Ｐをプリエンファシス部１１に設定する（ステップＳ１２）。無線送受信機部４０においてリンクが確立した場合には（ステップＳ７のＹｅｓ）、無線基地局部１０においても、リンクが確立される（ステップＳ９のＹｅｓ）。
【００５０】
次に、遅延量測定データ送信部３１は、下り送信データに多重させた遅延用測定固定データを無線送受信機部４０に送信する（ステップＳ１３）。無線送受信機部４０の信号処理部４９は、その固定データを折り返す（ステップＳ１４）。無線基地局部１０の遅延時間測定部３２は、折り返された固定データを受信する（ステップＳ１５）。
【００５１】
コントロール部１５は、遅延時間測定部３２により測定された遅延時間に基づいて、電気配線７４に対する遅延時間を計算する（ステップＳ１６）。コントロール部１５は、一例として、図３に示した遅延時間とプリエンファシス値との対応表を参照して、好適なプリエンファシス値をプリエンファシス部１１及びパラメータ送信部１６に設定する（ステップＳ１７）。
【００５２】
無線送受信機部４０のコントロール部４５は、パラメータ送信部１６から送信された好適なプリエンファシス値を、パラメータ読出部４６から読み出して、パラメータ設定部４２を介して、プリエンファシス部４１に設定する（ステップＳ１８）。
【００５３】
以上の動作により、無線基地局部１０及び無線送受信機部４０は、通常の動作に移行する（ステップＳ１９）。
【００５４】
なお、電気配線７４の長さと電気ＩＦ仕様に応じて信号の波形が劣化する程度が異なることから、パラメータ設定部１２及び４２は、信号を補正するためのプリエンファシス値を予めテーブルとして保持している。
【００５５】
ここで、電気ＩＦ仕様として、例えば、ＬＶＤＳ（Ｌｏｗ  Ｖｏｌｔａｇｅ  Ｄｉｆｆｅｒｅｎｔｉａｌ  Ｓｉｇｎａｌｉｎｇ）、ＬＶＰＥＣＬ（Ｌｏｗ  Ｖｏｌｔａｇｅ  Ｐｏｓｉｔｉｖｅ  Ｅｍｉｔｔｅｒ  Ｃｏｕｐｌｅｄ  Ｌｏｇｉｃ）、ＣＭＬ（Ｃｕｒｒｅｎｔ  Ｍｏｄｅ  Ｌｏｇｉｃ）が挙げられる。
【００５６】
本実施形態の無線基地局装置によると、電気配線の距離（測定した遅延時間）に応じて、送信パラメータの値（プリエンファシス値）を好適な値に設定することができ、無線基地局部と無線受信機部との間の伝送品質を向上させることができる。
【００５７】
起動シーケンス中において、無線基地局部１０と無線送受信機部４０との間の距離に応じた好適なプリエンファシス値を、プリエンファシス部１１及び４１に設定することにより、伝送路の長さに依らず、伝送品質の低下を防ぐことができる。
【００５８】
（実施形態２）
本発明の第２の実施形態について図面を参照して説明する。本実施形態の無線基地局装置の構成は、第１の実施形態の無線基地局装置の構成（図２及び図１）と同様である。
【００５９】
図５は、遅延時間に応じたプリエンファシス値及びＥＱ（イコライザ）パラメータ値を格納したテーブルを示す図である。図５を参照すると、テーブルには、プリエンファシス値に加えて、イコライザ部１７及び４７に対するパラメータ値が格納されている。イコライザ部１７及び４７に対するパラメータ値は、それぞれ電気配線７４対して測定された遅延時間に対応している。
【００６０】
図５を参照すると、パラメータ設定部１２及び４２は、遅延時間測定部３２により測定された遅延時間Ｔの値に応じて、イコライザ部１７及び４７に設定すべき好適なパラメータＱ０〜Ｑｎを保持している。電気配線７４の距離に応じて信号の波形が劣化する程度が異なることから、本実施形態の無線通信装置によると、好適なパラメータ（プリエンファシス値及びイコライザ部のパラメータ値）を設定することができる。
【００６１】
（実施形態３）
【００６２】
本発明の第３の実施形態に係る無線基地局装置について、図面を参照して説明する。図６は、本実施形態に係る無線基地局装置の構成を示すブロック図である。
【００６３】
図６を参照すると、無線基地局装置は、複数の無線送受信機部を有している。無線基地局装置は、電気配線７４を介して無線基地局部１０に接続された無線送受信機部４０のみならず、電気配線７５を介して無線基地局部１０に接続された無線送受信機部６０、及び、電気配線７６を介して無線基地局部１０に接続された無線送受信機部７０を有している。
【００６４】
電気配線７４〜７６の長さは、互いに異なる長さであってもよい。無線基地局部１０の遅延時間測定部３２は、第１の実施形態と同様にして、無線送受信機部４０、６０及び７０のそれぞれに対する遅延時間を測定する。
【００６５】
コントロール部１５は、測定された遅延時間のうちの最も長い遅延時間に応じて、好適なプリエンファシス値を選択し、自身のプリエンファシス部１１、並びに、無線送受信機部４０、６０及び７０のプリエンファシス部に設定してもよい。
【００６６】
本実施形態の無線基地局装置によると、無線基地局部と複数の無線送受信機部との間における遅延時間が互いに異なっている場合においても、好適なプリエンファシスの設定が可能となる。
【００６７】
以上の記載は実施形態に基づいて行ったが、本発明は、上記の実施形態に限定されるものではない。
【符号の説明】
【００６８】
１０  無線基地局部
１１、４１  プリエンファシス部
１２、４２  パラメータ設定部
１５、４５  コントロール部
１６  パラメータ送信部
１７、４７  イコライザ部
２０、５０  ＳｅｒＤｅｓ部
２１、５１  シリアルパラレル変換部
２２、５２  パラレルシリアル変換部
３０  ベースバンド信号処理部
３１  遅延量測定データ送信部
３２  遅延時間測定部
３３  遅延量補正バッファ部
４０、６０、７０  無線送受信機部
４６  パラメータ読出部
４８  無線部
４９  信号処理部
７４〜７６  電気配線
【図１】
0005531542.tif 000002
【図２】
0005531542.tif 000003
【図３】
0005531542.tif 000004
【図４】
0005531542.tif 000005
【図５】
0005531542.tif 000006
【図６】
0005531542.tif 000007